(57)【要約】【解決課題】本発明は、車椅子が壁などに衝突した場合に、車椅子の座乗者に衝撃を与えない衝撃吸収用の小車輪を着設した車椅子、及びアームレストの高さを上下に簡単に調節できて、回動可能なアームレストを着設した車椅子を提供する。【解決手段】車椅子の前部の最先端に小車輪１４を着設することによって、壁面に衝突した際の衝撃を吸収することができた。また、座部の後部に着設するアームレスト２１について、アームレスト２１が上下に調節が可能なようにアームレストを支持する部分を回動可能に車椅子の座部の後部に軸着する部分とよりなるアームレストの軸支部材を作成して、これにアームレストを嵌着して車椅子の座部の後部に軸着した。【選択図】図３
2006320348.tif 000002
【特許請求の範囲】
【請求項１】
背もたれと、座部と該座部の後部にアームレストが着設され、前記座部の下部に大車輪を有する車椅子の前部に着設する衝撃吸収用の小車輪であって、該小車輪が車椅子の最先端部分に着設されていることを特徴とする衝撃吸収用の小車輪を有する車椅子。
【請求項２】
座部の後部に着設されたアームレストが上下の調節が可能なように支持する部分と、回動可能に車椅子の座部の後部に軸着する部分と、よりなるアームレストの軸支部材に嵌着された回動可能な自在アームレストが着設されていることを特徴とする請求項１に記載の衝撃吸収用の小車輪を有する車椅子。
【請求項３】
座部の後部に着設されたアームレストが上下の調節が可能なように支持する部分と、回動可能に車椅子の座部の後部に軸着する部分とよりなる軸支部材と、端部に複数個の孔が
穿設されたアームレストが前記軸支部材に嵌着された回動可能な自在アームレストが着設されていることを特徴とする車椅子。
【発明の詳細な説明】
【技術分野】
【０００１】
本発明は、車椅子が壁などに衝突した場合に衝撃を吸収する衝撃吸収用の小車輪を車椅子の前部に着設した車椅子、及び高さが上下に調節可能であって、回動可能な自在アームレストを着設した車椅子に関わる。
【背景技術】
【０００２】
車椅子を狭い室内で利用するときに、車椅子の先端部を壁などに衝突させて壁に傷を付けたり、強い衝撃を受けて体に傷が付いたりする。このような場合に、衝撃を和らげるために種々の工夫が凝らされている。例えば、特許文献１には、一定巾の巾木部と、その巾木上端部の延長線上に壁保護部表面が形成されるように、巾木上縁部と同じ厚さの壁保護部が一体的に形成されたことを特徴とする壁保護部付き巾木、が開示されている。また、特許文献２には、室内壁の下部に取り付けられる巾木であって、下部巾木部材と、上部押え縁部材と、この両部材の端面間にその上端面が当接して位置するパネル材とから構成され、前記上部押さえ縁部材の上端位置が、室内で利用される車椅子の大車輪の外径の約１／２とされていることを特徴とする巾木、が開示されている。
【０００３】
上記の方法は、車椅子が壁に衝突しても、壁に傷が付かないようにするためのものであって、車椅子に乗っている人が衝撃を受けて傷がつかないようにするためのものではない。車椅子が壁に衝突してもその衝撃を和らげて、座乗者が怪我をしないような車椅子の出現が望まれている。
【０００４】
一方車椅子のアームレストは、車椅子を利用する人の障害度等によって腕を置く位置が一定ではなく、適度な位置に腕を置くことができれば長時間座乗していても疲れを減らすことができる。そのために、車椅子のアームレストの位置を調節する工夫が種々なされている。特許文献３は、車椅子のアームレスト調整構造において、車椅子両側に側支持部が設置され、それにアームレストとアームレスト調整装置が設けられ、アームレスト調整装置の側支持部中の部分に制御用のハンドルが設けられ、並びに側支持部端部に支持ロッドが設けられ、支持ロッドの側辺に別に係止手段が設けられ、位置決め装置の係止固定が組み合わされ、側支持部の別端に位置決めロッドが設けられて回転軸が接合されて側支持部が回転可能とされ、回転軸が車椅子の支持軸に挿入され、回転軸が回転させられることを特徴とする、車椅子のアームレスト調整構造、が開示されている。
【０００５】
特許文献４では、座位箇所側面に沿って配置した支持部材と、支持部材に装着した肘当て部材とを備え、前記支持部材は、両端部を屈曲させて略コ型形状に形成し、これら両端近傍間に保持してなるガードパネルと、前記支持部材中間に設けた保持体からガードパネルにかけて、前記肘当て部材を支柱部を介し、高さ調節機構により所望の高さ位置に保持する構成としたことを特徴とする高さ調整機能を備えたアームレスト装置、が開示されている。
【０００６】
このような高さ調節が可能なアームレストは、上下の高さ調節が可能であるが、アームレストの開閉ができず、車椅子の乗り降りの際にアームレストを上げて車椅子の横から乗り降りするということができなかった。そこで、アームレストを上げて車椅子の横から乗り降りできて、而も高さが調節できるアームレストの出現が望まれている。
【特許文献１】特開平９−１２５５６３号公報
【特許文献２】特開２００３−３６６２号公報
【特許文献３】実用新案登録第３０９０１６７号公報
【特許文献４】特開２００３−１２５８９４号公報
【発明の開示】
【発明が解決しようとする課題】
【０００７】
本発明は、車椅子が壁などに衝突した場合に、車椅子の座乗者に衝撃を与えない衝撃吸収用の小車輪を着設した車椅子、及びアームレストの高さを上下に簡単に調節できて、回動可能なアームレストを着設した車椅子を提供することにある。
【課題を解決するための手段】
【０００８】
上記課題を解決するために鋭意研究を重ねた結果、車椅子の前部に小車輪を着設することによって、壁面に衝突した際の衝撃が吸収することができた。また、座部の後部に着設するアームレストについて、アームレストが上下の調節が可能なように支持する部分と回動可能に車椅子の座部の後部に軸着する部分とよりなるアームレストの軸支部材を作成して、これにアームレストを嵌着して車椅子の座部の後部に軸着した。
【０００９】
請求項１に記載の発明は、背もたれと、座部と該座部の後部にアームレストが着設され、前記座部の下部に大車輪を有する車椅子の前部に着設する衝撃吸収用の小車輪であって、該小車輪が車椅子の最先端部分に着設されていることを特徴とする衝撃吸収用の小車輪を有する車椅子である。車椅子の最先端部分に小車輪を着設した結果、車椅子が壁面に衝突しても、最初に小車輪が壁面に当接して回転するので衝突の衝撃が吸収される。しかも、今まで車椅子が壁面に接触すると、一端車椅子を戻さないと回転できなかったが、壁面に当接した小車輪が回転するので、衝突したその位置で車椅子を回転させることができる。
【００１０】
請求項２に記載の発明は、座部の後部に着設されたアームレストが上下の調節が可能なように支持する部分と、回動可能に車椅子の座部の後部に軸着する部分と、よりなるアームレストの軸支部材に嵌着された回動可能な自在アームレストが着設されていることを特徴とする請求項１に記載の衝撃吸収用の小車輪を有する車椅子である。小車輪が壁面に最初に衝突しても、小車輪が壁面に当接して回転するので衝撃が吸収される車椅子であって、アームレストを支持する部分と車椅子の座部の後部に軸着する部分を有する軸支部材を有するアームレストの高さの調節、アームレストの開閉が容易な車椅子が提供できる。
【００１１】
請求項３に記載の発明は、座部の後部に着設されたアームレストが上下の調節が可能なように支持する部分と、回動可能に車椅子の座部の後部に軸着する部分とよりなる軸支部材と、端部に複数個の孔が穿設されたアームレストが前記軸支部材に嵌着された回動可能な自在アームレストが着設されていることを特徴とする車椅子である。アームレストを支持する部分と車椅子の座部の後部に軸着する部分を有する軸支部材と、端部に複数個の孔が穿設されたアームレストを車椅子に装着した軸支部材に嵌着することによって、アームレストの高さの調節とアームレストの開閉が容易な車椅子を提供することができる。
【発明の効果】
【００１２】
背もたれと、座部と該座部の後部にアームレストが着設され、前記座部の下部に大車輪を有する車椅子の最先端部分に小車輪を着設した結果、車椅子が壁面に衝突しても、最初に小車輪が壁面に衝突して、壁面に当接した小車輪が回転することによって衝撃が吸収される。しかも、今まで車椅子が壁面に当接すると、一端車椅子を戻さないと車椅子を回転させることができなかったが、本発明の小車輪を装着した車椅子は壁面に当接しても小車輪が回転するので、車椅子が壁面に当接したその位置で車椅子を回転させることができる。アームレストを支持する部分と車椅子の座部の後部に軸着する部分を有する軸支部材を作成することによって、アームレストの高さの調節、車椅子に軸着したアームレストの開閉が容易になった。
【発明を実施するための最良の形態】
【００１３】
以下に図面を用いて本発明の衝撃吸収用小車輪を着設した車椅子、及び高さ調整が可能で開閉が可能なアームレストを着設した車椅子について説明するが、本発明は以下の実施例に限定されるものではない。
【００１４】
図１は背もたれと、座部と該座部の後部にアームレストが着設され、前記座部の下部に大車輪を有する車椅子の前部に着設する本発明の衝撃吸収用の小車輪１４とその部品を示している。本発明の衝撃吸収用の小車輪１４は車椅子のフットレストフレーム１１の両下端部に着設すれば走行の邪魔にならず、特に、車椅子の前方に別途着設部材と着設位置を設ける必要もない。フットレスト１３はフットレストフレーム１１に軸着されたフットレスト支持フレーム１２で支持されている。車椅子に乗降する際にはフットレスト１３を回動させて上げた状態にすることができる。このフットレストフレーム１１の下端部１１ａに小車輪１４と、該小車輪１４を押さえるストッパーキャップ１５を当てて、ボルト１６で回転可能な状態で固定した。
【００１５】
図２はフットレストフレーム１１の下端部に衝撃吸収用の小車輪１４を着設した状態を示している。衝撃吸収用の小車輪１４は車椅子が壁面に当接した際に一番先に壁面に当接する位置にくるように車椅子の最先端に着設する。特に車椅子の角に当たる部分で、壁面に対して車椅子が側面から当接しても、壁面に対して前方から当接しても、車椅子の小車輪１４が最初に壁面等に当接する位置に着設することが望ましい。
【００１６】
図３に示すように、車椅子の前部の両端部に着設した小車輪１４が壁面等に最初に当接する位置に着設するためには、小車輪１４は車椅子のどの部分よりも先端にでていることが必要である。フットレストフレーム１１の下端部に着設するときは、フットレスト１３が小車輪１４よりも先に出ないように気を付ける必要がある。特に、フットレストフレーム１１の下端部に着設すると、フットレストフレーム１１の弾力性と小車輪のタイヤの弾力で衝撃吸収性が高くなる。例えば、曲がり角などで車椅子の側面が壁面に当接しても、車椅子の受ける衝撃も小さくなり、壁に傷を付けることもなく、そのまま前進、後退、回転をすることができる。本発明の衝撃吸収用の小車輪を着設した車椅子１００は自走用の車椅子に限らず介助用の車椅子等あらゆる種類の車椅子であってもよい。本図面の車椅子のアームレスト２１は、以下に説明するようにアームレスト２１の上下の高さを調節することが可能で、さらに、アームレスト２１を後方へ開閉することが可能な自在アームレスト２１が着設されている。
【００１７】
図４に示す本発明の上下の高さ調節が可能で、後方へ開閉が可能な自在アームレストを着設した車椅子２００は、自在アームレスト２１と該アームレスト２１を支持する軸支部材２２とからなっている。自在アームレスト２１は上下の高さ調節が可能で、後方への開閉が可能なアームレスト２１である。アームレスト２１の末端にはアームレスト２１を車椅子に回動自在に軸着する軸支部材２２を嵌着している。軸支部材２２は上面より示すと図４−１のように、アームレスト２１を嵌挿する穴２２ａと車椅子の主車輪支持フレーム１７の後端部に回動自在に軸着する部分２２ｃがある。軸支部材２２の嵌挿する穴２２ａの側面に穿設された穴２２ｂはアームレスト２１をボルトで止めるための穴２２ｂである。アームレスト２１の端部には高さを調節するための穴２１ａが本実施例では４個穿設している。アームレスト２１の高さの調節する場合は、穿設された４個の穴２１ａの適当な位置の穴と軸支部材２２の穴２２ａを合わせてボルトで固定することによって調節する。
【００１８】
図４−２に示す軸支部材２２には、主車輪支持フレーム１７の後端部に回動自在に軸着する部分２２ｃの側面に穴２２ｄ、２２ｅが穿設されている。この穴２２ｄはアームレスト２１をロックするためにボルト等で固定するためのロック穴である。穴２２ｅはアームレスト２１を後方へ開閉するときの支点となる穴で、主車輪支持フレーム１７に回動自在に軸着する部分である。
【００１９】
図５に示すように、アームレスト２１の端部を軸支部材２２のアームレスト２１を嵌挿する穴２２ａに嵌挿する。アームレスト２１を軸支部材２２に嵌挿すると、図６に示すように、アームレスト２１の端部に４段階に穿設した穴２１ａの適当な穴と軸支部材２２の穴２２ｂを通してボルトで固定する。
【００２０】
図６のように軸支部材２２に固定したアームレスト２１は、図７に示す車椅子の主車輪支持フレーム１７の端部に穿設された穴１７ａ、１７ｂと軸支部材２２の穴２２ｄ、２２ｅとを合わせて、穴２２ｅはボルトで回動自在に軸着する。穴２２ｄは穴２２ｅの回動を固定するためにボルトで固定する。
【００２１】
図８は前記のようにして軸着したアームレストを開いた状態を示している。したがって、穴２２ｄのボルトでアームレストを固定する方法は、アームレストを開閉する場合に、簡単にボルトを抜いてアームレストを開閉できるような固定方法が望ましい。本発明の自在アームレストを装着する車椅子は本図面に示すような車椅子に限定されず、軸支部材を取着することによって、自走用の車椅子に限らず介助用の車椅子まで幅広く装着することができる。
【図面の簡単な説明】
【００２２】
【図１】衝撃吸収用小車輪の部品と着設位置の斜視図である。
【図２】衝撃吸収用小車輪を着設した状態を示す斜視図である。
【図３】衝撃吸収用小車輪を着設した車椅子の側面図である。
【図４】アームレストと軸支部材の側面図である。
【図５】アームレストに軸支部材を嵌挿する側面図である。
【図６】アームレストに軸支部材を嵌挿した側面図である。
【図７】高さ調整が可能で開閉が可能なアームレストを着設した車椅子の側面図である。
【図８】高さ調整が可能で開閉が可能なアームレストを着設した車椅子のアームレストを開いた状態の側面図である。
【符号の説明】
【００２３】
１００：衝撃吸収用小車輪を着設した車椅子
２００：高さ調整が可能で開閉が可能な自在アームレストを着設した車椅子
１１：フットレストフレーム
１２：フットレスト支持フレーム
１３：フットレスト
１４：小車輪
１５：ストッパーキャップ
１６：ボルト
１７：主車輪支持フレーム
１８：後部フレーム
１９：キャスター
２０：前部フレーム
２１：アームレスト
２２：軸支部材
【図１】
2006320348.tif 000003
【図２】
2006320348.tif 000004
【図３】
2006320348.tif 000005
【図４】
2006320348.tif 000006
【図５】
2006320348.tif 000007
【図６】
2006320348.tif 000008
【図７】
2006320348.tif 000009
【図８】
2006320348.tif 000010